(57)【特許請求の範囲】
【請求項１】
腕に巻回自在な装着帯の表面に筆記具の保持部を設けた筆記具ホルダーにおいて、
前記保持部は前記装着帯を腕に巻回した状態で前記筆記具を腕と略平行な方向に保持する筒状部からなり、前記装着帯には前記筒状部に被さって押圧自在な押さえ部が設けられることを特徴とする筆記具ホルダー。
【請求項２】
前記押さえ部は帯状のベルトに形成され、前記装着帯には前記保持部の両側に孔部が形成され、前記ベルトは前記孔部から前記装着帯の表面側に露出し、該露出する部分より端部側の両側は前記装着帯の裏面側に配置されることを特徴とする請求項１記載の筆記具ホルダー。
【請求項３】
前記ベルトは前記装着帯の裏面側に配置される一端部が前記装着帯に固定され、前記ベルトの他端部は引っ張り自在として前記押さえ部による押圧力を調整自在であることを特徴とする請求項２記載の筆記具ホルダー。
【請求項４】
前記装着帯は端部に締め具を備え、該締め具に対して前記ベルトの他端部を固定自在としたことを特徴とする請求項３記載の筆記具ホルダー。
【請求項５】
前記ベルトは前記装着帯の裏面側に配置される前記他端部側の領域よりさらに他端部側の表面が面ファスナーであり、該面ファスナーの領域は、前記装着帯の端部よりも前記保持部側から表面に露出することを特徴とする請求項３または４記載の筆記具ホルダー。
【請求項６】
前記押さえ部は前記装着帯の裏面側に配置される両端部がそれぞれ前記装着帯に固定されると共に、伸縮自在であることを特徴とする請求項２記載の筆記具ホルダー。
【発明の詳細な説明】
【技術分野】
【０００１】
本発明は、腕に装着して筆記具を保持することのできる筆記具ホルダーに関し、特に腕に巻いて装着する装着帯に筆記具の保持部を設けてなる筆記具ホルダーに関する。
【背景技術】
【０００２】
鉛筆やペンなどの筆記具を手ぶらで携帯するため、筆記具を上着やシャツなどの衣服のポケットに差し込むことが一般的に行われている。また、衣服によっては袖の上部に筆記具を収納できる部分を設けているものもある。
【０００３】
夏場の暑い時期などには、Ｔシャツ等のポケットのない衣服を着用することがあるが、このような衣服では筆記具を保持することができない。このため、筆記具を携帯するため、腰に小鞄などを着用することもあるが、小鞄からの筆記具の出し入れは面倒であった。また、袖の上部に筆記具を収納できる部分を設けている場合にも、寒冷期の屋外作業において、防寒着などをさらに着用しているときには、筆記具の出し入れができなくなる。
【０００４】
そこで、腕に装着するバンドに筆記具の収納部分を設け、衣服にかかわらず腕に筆記具を保持できるようにした筆記具ホルダーが知られている。このような筆記具ホルダーとしては例えば特許文献１に挙げるようなものがある。
【先行技術文献】
【特許文献】
【０００５】
【特許文献１】特開平７−３０９０９３号公報
【発明の概要】
【発明が解決しようとする課題】
【０００６】
しかし、特許文献１の筆記具ホルダーは、筆記具収納器が大掛かりで、腕に装着して作業等を行うには邪魔になる。また、収納部分は、筆記具の収納、取り出しが容易であると共に、筆記具が収納部分から抜け落ちないようにする必要があるが、筆記具の収納、取り出しを容易としつつ強固に固定できるものではなかった。
【０００７】
本発明は前記課題を鑑みてなされたものであり、装着に違和感がなく、筆記具の収納、取り出しを容易としつつこれを強固に固定できる筆記具ホルダーを提供することを目的とする。
【課題を解決するための手段】
【０００８】
前記課題を解決するため、本発明に係る筆記具ホルダーは、腕に巻回自在な装着帯の表面に筆記具の保持部を設けた筆記具ホルダーにおいて、
前記保持部は前記装着帯を腕に巻回した状態で前記筆記具を腕と略平行な方向に保持する筒状部からなり、前記装着帯には前記筒状部に被さって押圧自在な押さえ部が設けられることを特徴として構成されている。
【０００９】
また、本発明に係る筆記具ホルダーは、前記押さえ部は帯状のベルトに形成され、前記装着帯には前記保持部の両側に孔部が形成され、前記ベルトは前記孔部から前記装着帯の表面側に露出し、該露出する部分より端部側の両側は前記装着帯の裏面側に配置されることを特徴として構成されている。
【００１０】
さらに、本発明に係る筆記具ホルダーは、前記ベルトは前記装着帯の裏面側に配置される一端部が前記装着帯に固定され、前記ベルトの他端部は引っ張り自在として前記押さえ部による押圧力を調整自在であることを特徴として構成されている。
【００１１】
さらにまた、本発明に係る筆記具ホルダーは、前記装着帯は端部に締め具を備え、該締め具に対して前記ベルトの他端部を固定自在としたことを特徴として構成されている。
【００１２】
そして、本発明に係る筆記具ホルダーは、前記ベルトは前記装着帯の裏面側に配置される前記他端部側の領域よりさらに他端部側の表面が面ファスナーであり、該面ファスナーの領域は、前記装着帯の端部よりも前記保持部側から表面に露出することを特徴として構成されている。
【００１３】
また、本発明に係る筆記具ホルダーは、前記押さえ部は前記装着帯の裏面側に配置される両端部がそれぞれ前記装着帯に固定されると共に、伸縮自在であることを特徴として構成されている。
【発明の効果】
【００１４】
本発明に係る筆記具ホルダーによれば、腕に巻回自在な装着帯の表面に筆記具の保持部を設け、保持部は装着帯を腕に巻回した状態で筆記具を腕と略平行な方向に保持する筒状部からなり、装着帯には筒状部に被さって押圧自在な押さえ部が設けられることにより、簡易な構造で腕に筆記具を保持することができると共に、押さえ部により筆記具を確実に保持固定することができる。
【００１５】
また、本発明に係る筆記具ホルダーによれば、押さえ部は帯状のベルトに形成され、装着帯には保持部の両側に孔部が形成され、ベルトは孔部から装着帯の表面側に露出し、該露出する部分の両側は装着帯の裏面側に配置されることにより、押さえ部を装着帯の孔部を介して露出させた簡単な構造で、保持部に対する押圧をなすことができる。
【００１６】
さらに、本発明に係る筆記具ホルダーによれば、ベルトは装着帯の裏面側に配置される一端部が装着帯に固定され、ベルトの他端部は引っ張り自在として押さえ部による押圧力を調整自在であることにより、ベルトを引っ張ることで押さえ部による保持部の押圧力を調整できるので、筒状部を大きめに形成して様々な太さの筆記具を挿入可能としつつ、どのような太さの筆記具であっても確実に保持可能とすることができる。
【００１７】
さらにまた、本発明に係る筆記具ホルダーによれば、装着帯は端部に締め具を備え、締め具に対してベルトの他端部を固定自在としたことにより、締め具に対してベルトを引っ張って固定することで、押さえ部による押圧も同時になすことができ、より容易かつ確実な筆記具の保持をなすことができる。
【００１８】
そして、本発明に係る筆記具ホルダーによれば、ベルトは他端部側の表面が面ファスナーであり、面ファスナーの領域は、装着帯の端部よりも保持部側から表面に露出することにより、面ファスナーの面積を大きくして装着帯両端の固定をより強固にすることができる。また、巻回される腕の太さが異なったり、あるいは厚手の服の袖の上から巻回する場合などに、固定の調整を容易に行うことができる。
【００１９】
また、本発明に係る筆記具ホルダーによれば、押さえ部は装着帯の裏面側に配置される両端部がそれぞれ装着帯に固定されると共に、伸縮自在であることにより、簡単な構造で押圧力を調整自在な押さえ部を構成することができる。
【図面の簡単な説明】
【００２０】
【図１】第１の実施形態における筆記具ホルダーを腕に装着した状態の斜視図である。
【図２】図１を腕の反対側から見た斜視図である。
【図３】第１の実施形態における筆記具ホルダーの平面視斜視図である。
【図４】筆記具ホルダーの底面斜視図である。
【図５】図３のＡ−Ａ断面図である。
【図６】第２の実施形態における筆記具ホルダーの平面視斜視図である。
【図７】図６のＡ−Ａ断面図である。
【発明を実施するための形態】
【００２１】
本発明の実施形態について図面に沿って詳細に説明する。図１には、第１の実施形態における筆記具ホルダーを腕に装着した状態の斜視図を示している。この図に示すように、本実施形態の筆記具ホルダーは、腕に巻回して装着する装着帯１に、筆記具４０を保持可能な保持部２を形成してなるものである。
【００２２】
保持部２は、保持される筆記具４０が腕と平行な方向となるように、装着帯１を腕に巻回した状態で、腕と平行となる方向に沿って形成された筒状部１１からなっており、この筒状部１１が２つ並設配置されている。筆記具４０を筒状部１１に差し込むことにより、筆記具ホルダーを装着した腕に保持することができる。
【００２３】
図２には、図１を腕の反対側から見た斜視図を示している。この図に示すように、装着帯１の一端には２つの締め具３が設けられており、これらに対し装着帯１の他端から突出する第１ベルト２０及び第２ベルト２５を固定することにより、装着帯１を腕に固定することができる。
【００２４】
図３には、筆記具ホルダーの平面視斜視図を示している。装着帯１や保持部２は、帆布等の布材により形成されている。ただし、軟質の樹脂材など可撓性を有するその他の材料で形成してもよい。図３に示すように、装着帯１は横長状に形成され、その略中央部に２つの筒状部１１が形成されている。筒状部１１は、装着帯１の幅と略同じ長手方向長さを有し、図３における底面側で装着帯１に対して固定されている。
【００２５】
装着帯１の一端部には、締め具３が設けられている。また、装着帯１の中央部には、保持部２を構成する２つの筒状部１１に被さるように設けられ、これらを押圧して筆記具４０の保持力を大きくする押さえ部１２が露出している。押さえ部１２は第１ベルト２０に形成されており、第１ベルト２０が装着帯１に形成された孔部１０ｂ、１０ｃから表面側に露出することで構成されている。
【００２６】
第１ベルト２０の一端側は、締め具３に対して固定することができるように、装着帯１の端部より側方に突出している。また、第１ベルト２０の一端側のうち装着帯１の表面側に露出する領域は、表面に面ファスナー２２が形成されている。第２ベルト２５は、一端が装着帯１の表面に固定される固定端部２６であり、第１ベルト２０の面ファスナー２２の領域と同じ長さに形成され、表面には面ファスナー２７が形成される。これらの第１ベルト２０及び第２ベルト２５は、装着帯１の端部よりも保持部側寄りに形成される孔部１０ａから露出するので、面ファスナー２２、２７の面積を大きくすることができ、装着帯１の両端部を固定する際の強度を十分に確保することができる。
【００２７】
図４には筆記具ホルダーの底面視斜視図を、図５には図３のＡ−Ａ断面図を、それぞれ示している。これらの図に示すように、第１ベルト２０は、装着帯１の孔部１０ａから孔部１０ｂにかけて裏面側に露出し、孔部１０ｂから孔部１０ｃにかけては表面側に露出して押さえ部１２を構成し、さらに孔部１０ｃから裏面側に露出して固定端部２１で装着帯１に固定されている。
【００２８】
装着帯１の他端側に設けられる締め具３は、装着帯１に対して固定される固定ベルト部３０と、その先端部に設けられる固定金具３１とからなっている。図２に示されているように、装着帯１を腕に巻回したら、装着帯１の一端側から突出する第１ベルト２０及び第２ベルト２５をそれぞれ固定金具３１に対して挿通し、それぞれ面ファスナー２２、２７の部分を折り返して表面同士を係合させることにより、装着帯１の両端部が固定され、腕に対する固定をなすことができる。
【００２９】
第１ベルト２０は、一端部が装着帯１の裏面側で固定され、他端部が装着帯１から突出して締め具３との固定をなし、両者の中間部が押さえ部１２となっているから、第１ベルト２０の他端部側を引っ張ることにより押さえ部１２も引っ張られるから、押さえ部１２による筒状部１１に対する押圧力を大きくすることができる。第１ベルト２０を締め具３に固定する際には、第１ベルト２０の他端部側を引っ張ることになるから、それに伴い筆記具４０に対する保持力を大きくして、筆記具４０が抜け落ちることを防止することができる。
【００３０】
このように、装着帯１に筆記具４０を保持する保持部２を設け、この保持部２に被さって筆記具４０の保持強度を大きくする押さえ部１２を装着帯１に設けたことにより、装着帯１を腕に巻回することで違和感なく筆記具４０を腕に保持自在とすることができると共に、簡易な構造で筆記具４０が抜け落ちることも防止することができる。
【００３１】
また、押さえ部１２を第１ベルト２０の一部として構成しているので、締め具３に対する固定と同時に押さえ部１２による押圧力の調整もでき、より容易かつ確実な筆記具４０の保持をなすことができる。特に、太さの異なる筆記具４０を保持する場合に、筒状部１１を大きめに形成しておくことで、いずれの筆記具４０も挿入できると共に、押さえ部１２による押圧力によりどの筆記具４０であっても確実に保持することができる。
【００３２】
なお、本実施形態では、第１ベルト２０に押さえ部１２を形成しているが、第２ベルト２５も第１ベルト２０と同様の構造として押さえ部１２を形成してもよい。また、締め具３を構成する固定ベルト部３０を延長して、押さえ部１２を第１ベルト２０側ではなく固定ベルト部３０に形成するようにしてもよい。
【００３３】
次に、本発明の第２の実施形態について説明する。図６には第２の実施形態における筆記具ホルダーの平面視斜視図を、図７には図６のＡ−Ａ断面図を、それぞれ示している。本実施形態において、装着帯１と保持部２及び締め具３の基本構成は第１の実施形態と同様である。第１の実施形態と共通する点については説明を省略する。
【００３４】
本実施形態では、第１ベルト２０と第２ベルト２５はそれぞれ固定端部２１、２６で装着帯１の表面に固定されている。押さえ部１２は、第１ベルト２０や第２ベルト２５とは別に設けられている。
【００３５】
押さえ部１２は、装着帯１に形成された孔部１０ａ、１０ｂから表面側に露出し、筒状部１１に被さっている。押さえ部１２の両端部は、それぞれ装着帯１の裏面側で固定されている。本実施形態の押さえ部１２は、ゴム等の伸縮性を有する素材により形成されており、予め筒状部１１を強く押圧している。筒状部１１に筆記具４０を挿入すると、筒状部１１の押さえ部１２により押圧された部分が、筆記具４０により押し広げられる。これにより、筆記具４０は筒状部１１を介して押さえ部１２により押圧されて抜け落ちないように保持される。
【００３６】
このように、ベルトとは別に伸縮性を有する素材により押さえ部１２を形成することによっても、筒状部１１に挿入された筆記具４０を強固に保持することができる。なお、第１ベルト２０及び第２ベルト２５と締め具３との固定については、第１の実施形態と同様になされる。
【００３７】
以上、本発明の実施形態について説明したが、本発明の適用はこれら実施形態には限られず、その技術的思想の範囲内において様々に適用されうるものである。例えば、保持部２を構成する筒状部１１の数は１つであってもよいし３つ以上であってもよい。また、筒状部１１は、図５のように筒状の部材の一面側を装着帯１に固定して構成してもよいし、また、帯状の部材の両端を装着帯１に固定することで、装着帯１と合わせて筒状部１１を形成するようにしてもよい。
【００３８】
これらの実施形態では、保持部２には筆記具４０を保持させるものとしているが、筆記具４０以外の例えばはさみや櫛などを保持可能となる幅に形成することで、理容師などがそれらを腕に保持するホルダーとして用いることもできる。それ以外の小物を保持できるように構成することももちろん可能である。
【００３９】
また、保持部２の構成として、これらの実施形態では両端が開放された筒状部１１を形成しているが、一端を閉塞し袋状に形成したものであってもよい。ただし、筒状部１１の両端が開放されていることにより、両方から筆記具４０を挿入することができるので、より便利に使用することができる。さらには、装着帯１について、これらの実施形態では締め具３で両端を固定する態様としているが、腕を挿通可能な筒状として伸縮自在な素材で形成することもできる。
【符号の説明】
【００４０】
１    装着帯
２    保持部
３    締め具
１０    孔部
１１    筒状部
１２    押さえ部
２０    第１ベルト
２１    固定端部
２２    面ファスナー部
２５    第２ベルト
２６    固定端部
２７    面ファスナー部
３０    固定ベルト部
３１    固定金具
４０    筆記具
【図１】
0005378427.tif 000002
【図２】
0005378427.tif 000003
【図３】
0005378427.tif 000004
【図４】
0005378427.tif 000005
【図５】
0005378427.tif 000006
【図６】
0005378427.tif 000007
【図７】
0005378427.tif 000008